(57)【要約】【課題】前面が開放されている本箱等が地震の揺れで収容されたものが飛び出しで起きる人身事故を含め種種の弊害を防ぐ。【解決手段】什器の開放された前面の上部に設けられた中空部を有する梁７と、梁７の中空部と連通する中空部を有する一対の支柱５と、梁７の中空部内を回動して支柱５の中空部内を落下可能な球状の錘８と、規制バー１７とつながる一対のアーム部１６の端部が一対の支柱５に回転可能に係止された複数のクランク型規制部材１４と、所定の静止状態にあるクランク型規制部材１４のアーム部１６を保持する保持片を一端に有し、錘８の落下荷重を受ける荷重受片を他端に有するストッパー部材１１を備え、地震等災害時に支柱５の中空部内を落下する錘８がストッパー部材１１の荷重受片を押し下げることにより所定の静止状態が解除され、規制バー１７が下方に変位して開放された前面を遮断する。【選択図】図４
2011125464.tif 000002
【特許請求の範囲】
【請求項１】
什器の開放された前面の上部に設けられた中空部を有する梁と、
前記前面の両縁に設けられ、前記梁の中空部と連通する中空部を有する一対の支柱と、
地震等災害時の振動によって前記梁の中空部内を回動して前記支柱の中空部内を落下可能な球状の錘と、
前記一対の支柱の内側面に上下方向に所定間隔で対向して設けられた複数の取付穴と、
前記対向する取付穴に装着される部材と、
前記部材に設けられた軸孔と、
両端の軸部から延びたアーム部と前記アーム部につづく略水平な規制バーからなり、前記軸孔に両軸部が回転可能に係止される複数のクランク型規制部材と、
略中央部が回転可能に支持され、所定の静止状態にある前記クランク型規制部材の前記アーム部を保持する保持片を一端に有し、前記支柱の中空部内に位置し、前記錘の落下荷重を受ける荷重受片を他端に有するストッパー部材を備え、
初期状態において、前記複数のクランク型規制部材は前記規制バーが前記什器の天板および棚板の前面に静止し、前記アーム部が前記ストッパー部材で保持された前記所定の静止状態にあり、かつ前記錘は前記梁の中空部内に保持された状態にあり、地震等災害時において、前記支柱の中空部内を落下する前記錘が前記ストッパー部材の前記荷重受片を押し下げることにより、前記保持片が持上げられて前記所定の静止状態が解除され、前記クランク型規制部材は自重により前記軸部を中心に回転し、前記規制バー部が天板および棚板の下方に変位して開放された前記前面を遮断することで物品の落下防止が可能な状態になることを特徴とする収納物品の飛び出し防止装置。
【請求項２】
前記支柱に装着する部材は、前記支柱に設けられた前記取付穴に装着可能な凸部を有する装着部と前記アーム部の衝撃を受止める防触壁が直角に配置された、Ｌ字型の横断面形状を有することを特徴とする請求項１に記載の収納物品の飛び出し防止装置。
【請求項３】
前記装着部に前記軸孔が設けられていることを特徴とする請求項２に記載の収納物品の飛び出し防止装置。
【請求項４】
前記防触壁は、弾力性を有する部材からなることを特徴とする請求項２又は３に記載の収納物品の飛び出し防止装置。
【請求項５】
前記防触壁の先端に把握片が設けられていることを特徴とする請求項２乃至４の何れかに記載の収納物品の飛び出し防止装置。
【請求項６】
前記ストッパー部材は、前記装着部に設けたスリット状の貫通溝内を上下可動に支持されていることを特徴とする請求項２乃至５の何れかに記載の収納物品の飛び出し防止装置。
【請求項７】
前記クランク型規制部材は複数の前記規制バー部を有することを特徴とする請求項２乃至６の何れかに記載の収納物品の飛び出し防止装置。
【請求項８】
前記クランク型規制部材は前記複数の規制バー間に網状の部材を配していることを特徴とする請求項７に記載の収納物品の飛び出し防止装置。
【発明の詳細な説明】
【技術分野】
【０００１】
本発明は、前面開放の箱物の収納物品が地震等の揺れによって飛び出すのを防止する装置に関するものである。
【背景技術】
【０００２】
家具として床面に垂直に設置されるタンスや食器棚など、あるいは業務用の商品陳列棚や本箱書架など、前面が開放された箱物の棚の収納物品が地震時等の際壁面又は床面に固定された箱什器そのものが転倒に至らなくとも揺れにより収納物が飛び出すのは衆知のことであるが、それを防ぐ為に各棚と棚との中央部の左右にまたがってゴム等の弾力性のある紐を取り付け、落下を防ぐ装置がある。（特許文献１参照）
或いは棚什器の前面に上下動可能に枠体を配置し、それに錘をつけ変位させ連動する係止具を配置し地震時に変位した錘に連動して枠体が上下動し物品の落下を防止する装置もある。（特許文献２参照）
又、棚の両側に中空状の支柱を有し該支柱に装置する規制部材を取り付けその先のアームまたは軸部にさらにウエイトという錘を棚ごとに取り付ける複雑な装置もある。（特許文献３参照）
【先行技術文献】
【特許文献】
【０００３】
【特許文献１】特開２００２−３３６０６７号公報
【特許文献２】特開平９−３１３２７９号公報
【特許文献３】特開２０００−１４４６７号公報
【発明の概要】
【発明が解決しようとする課題】
【０００４】
ところが、前記した特許文献１に記載された装置は、日常の収納物の出し入れのつどゴム紐を引かねばならず、わずらわしく又美観を損ねる。また特許文献２に記載の装置は、棚什器の前面を枠体が移動するので外観が悪く部品が多くコスト高であり、このような問題点を有し、実用的でない。さらに特許文献３に記載の装置は、これもまたコスト高であり収納物を取り出す際、規制部材の一部分に接触すると振動がなくても作動する恐れがある。
本発明の目的は、従来の装置と異なりすこぶる単純シンプルなものであってメンテナンス不要で廉価に汎用可能な収納物品の飛び出し防止装置を提供することにある。
【課題を解決するための手段】
【０００５】
これらの課題を解決するため、本発明は、書棚等、什器の開放された前面の上部に設けられた中空部を有する梁と、前記前面の両縁に設けられ、前記梁の中空部と連通する中空部を有する一対の支柱と、地震等災害時の振動によって前記梁の中空部内を回動して前記支柱の中空部内を落下可能な球状の錘と、前記一対の支柱の内側面に上下方向に所定間隔で対向して設けられた複数の取付穴と、前記対向する取付穴に装着される部材と、前記部材に設けられた軸孔と、両端の軸部から延びたアーム部と前記アーム部につづく略水平な規制バーからなり、前記軸孔に両軸部が回転可能に係止される複数のクランク型規制部材と、略中央部が回転可能に支持され、所定の静止状態にある前記クランク型規制部材の前記アーム部を保持する保持片を一端に有し、前記支柱の中空部内に位置し、前記錘の落下荷重を受ける荷重受片を他端に有するストッパー部材を備え、初期状態において、前記複数のクランク型規制部材は前記規制バーが前記什器の天板および棚板の前面に静止し、前記アーム部が前記ストッパー部材で保持された前記所定の静止状態にあり、かつ前記錘は前記梁の中空部内に保持された状態にあり、地震等災害時において、前記支柱の中空部内を落下する前記錘が前記ストッパー部材の前記荷重受片を押し下げることにより、前記保持片が持上げられて前記所定の静止状態が解除され、前記クランク型規制部材は自重により前記軸部を中心に回転し、前記規制バー部が天板および棚板の下方に変位して開放された前記前面を遮断することで物品の落下防止が可能な状態になることを特徴とする収納物品の飛び出し防止装置を提供する。
【０００６】
地震時の振動により前記錘が前記支柱の中空内部を落下し、次々と格段の前記シーソー様のストッパー機能の加重受片を押し下げて保持片を持ち上げ、前記クランク型規制バー部を開放して該クランク型規制部材の両端を支軸に回転しながら前記規制バー部が自重によりアーム部と共に下方に変位して物品取り出し開口部を塞いで物品の落下を防止する。
【０００７】
前記支柱の取付穴に嵌合挿入した部材の中でシーソー様のストッパー部材を有するアーム部保持部材の前記防蝕壁には初期状態のクランク型規制部材のアーム部が接触する規制部材受片のＬ字型防蝕壁面部分に反発弾力のある部材を設け、又は部品自体に反発弾力部分を設けることで前記のストッパー部材の保持片との間に前記規制バー部のアーム部を挟み初期状態を安定させることができる。
【０００８】
クランク型規制部材が振動による球状の錘の回動落下で初期状態を脱却し回転落下転位してくる勢いを利用し前記クランク型規制部材受片のＬ字型防触壁に前記クランク型規制部材のアーム部を一時的に抱き込んだ後、形状を復帰してクランク型規制部材が戻されぬようにする把握部を防蝕壁に設けてもよい。
【０００９】
クランク型規制部材の規制バー部を複数にしたり、網状にしたり、平面にすることにより二期状態における飛び出し防止をする収納品の範囲を広げることができる。
【発明の効果】
【００１０】
壁面に固定された収納棚でも震度の高い地震においては収納された物品は落下散乱し、落下物によっては人身事故に繋がり非常に危険であり、最近では落下した書籍により命を落とされた悲しいニュースもあり、また事後の片付けには大変な労力と時間を要し、食器棚などでは逃げ出す際、足底に散乱したガラスの破片が事故を増大させる。また、書籍類、資料類は常時頻繁に使用される方々にとってはその収納された書籍、資料の一つ一つの位置や関連が頭の中に細かく記憶されており、落下以前に復元することは書籍類だけでなく職人さんの使用する部品等、本人のみが可能な場合が多く他の人の介入を許さないため完全復帰には時間が掛かり困惑している等、多くの課題がある。
【００１１】
本発明によれば、前面が開放された箱物什器の収納品が地震等の揺れによって開口部上部の梁より回転落下する球状の錘の重さと速度で跳ね除けられる荷重受片で初期状態を保っていた保持片が沈みクランク型規制部材のアーム部が開放され落下転位して収納物品の前面に立ちふさがり飛び出し散乱するのを未然に防ぐことができる。
【００１２】
また、前記クランク型規制バーが上方に静止留置された初期状態が特徴であり、初期状態で収納物品を引き出す際に前記クランク型規制バーの端部やアーム部に触れぬように前記各部材にＬ字型防縮壁を儲け、使用に際しクランク型規制部材に接触することを避け、初期状態を安定保持する。地震時には前記落下する錘の重力と落下力により前記シーソー様のストッパー機能の加重受片を押し下げて保持片を持ち上げ、該保持片が前記クランク型規制部材を拘束している初期状態より開放して、前記クランク型規制バーは前面に半回転しながら落下し棚の略中央部に変位出現という簡単な二つの自然の引力を利用した基本構造からなりメンテナンスも不要で制作費も廉価に抑えられる。
【００１３】
さらに、前記クランク型規制バーが落下した前記規制部材のアーム部を瞬時に受け止め把握するアーム部受部材の挿入装着により、該前記クランク型規制部材のアーム部の変位後の揺れ戻りや収納物による押し戻し等を防ぎ二期状態を瞬間に保持永続することにより、規制バー部を複数にしたり、面にすることが可能となり、棚の底面からほぼ中央部の高さまでは封鎖が出来、収納品ガ棚内部の下方に偏重して上部がほとんど空間な仏壇等の什器に適し、細かいものまで飛び出しを防ぐことが容易に可能であり凡庸に使用可能な装置を提供することができる。
【００１４】
支柱の内側面に所定間隔に設けられた複数の取付穴に嵌合挿入した部材の軸孔を介してクランク型規制部材が取り付けられる特徴があり、該嵌合挿入する全ての部材にＬ字型の前記防蝕壁を設け、通常の使用の際収納物の出し入れで規制部材への接触を防ぎ、無用の作動をなくした。
【００１５】
前記ストッパー機能を有するアーム部保持部材では防触壁に弾性反発力のある材質を設けシーソー様のストッパーの保持片との間にクランク型規制部材のアーム部を挟み初期状態を安定させ該ストッパーが外れ、クランク型規制部材を開放する際は弾力のある反発力が該クランク型規制部材のアーム部を押し出し、二期状態に入るのを即発する。一例として棚の位置を変更可能にした本箱の場合は奥行きの長短を考慮すればクランク型規制部材のアーム部の長さが一定でもＡ３の大きさから文庫本のＡ６まで使用が可能で自動的に収納物の飛び出しを防止出来て凡庸に使用が出来る。
【００１６】
このように種種の木製家具は勿論、スチール家具においても前方の一対の中空状の支柱の相対する側面に所定の複数の取付穴を設け使用し、前記の各役目を持った部材を前記所定の空間に挿入固定することで全前面開放の什器箱物にクランク型規制部材の装着が可能であり、常時の使用が便利に使用範囲も広い装置である。
【図面の簡単な説明】
【００１７】
【図１】本発明の実施例となる規制部材を設けた什器（家具）の正面説明図である。
【図２】本発明の実施例となる支柱とその取付穴に挿入される各部材の関係を示す説明図である。
【図３】本発明の実施例となる支柱とクランク型規制部材との関係を示す説明斜視図である。
【図４】本発明の規制バーが天板又は上部棚板の前面にセットされている状態の斜視図である。
【図５】ストッパー部材の保持片と規制バーの関係を説明する斜視図である。
【図６】錘が落下してストッパー機能を開放した状態を示す斜視図である。
【図７】ストッパー機能を示す拡大図である。
【図８】ストッパー機能が解除されてクランク型規制部材が棚の前面を塞いだ状態を示す斜視図である。
【図９】（Ａ）本発明の実施例となる支柱の取付穴と把握部を有する部材の斜視図であり、（Ｂ）クランク型規制部材のアーム部を把握部材が捕らえた状態を示す斜視透視図である。
【図１０】（Ａ）本発明の実施例となる規制バーが収納物の飛び出しを防止した状態を示す棚の下部正面図であり、（Ｂ）取り出し口に錘が落下した状態を示す斜視図である。
【図１１】本発明の他の実施例となる規制バーを複数にした例の棚下部の正面図である。
【図１２】本発明の他の実施例となる複数の規制バーの間を網状にした棚下部の一例図である。
【図１３】本発明の他の実施例となるスチール家具の支柱の取付穴に軸孔を備えた部材を介してクランク型規制部材が棚の略中央部前面を塞いだ状態を示す部分斜視図である。
【発明を実施するための形態】
【００１８】
本発明の実施の形態について図面を参照して説明する。
【実施例１】
【００１９】
第１図は、本発明の実施例の初期状態を示している。前面が開放されている什器１の左右両側板３の内側前面淵に設置した一対の中空部を有する支柱５が下部から上部に向かって真っ直ぐに取り付けられている。そして前記した支柱５の中空部と連通した中空部を有する梁７を天板２面に沿って設ける。梁７の中空部内には、振動により回動して前記支柱５内を落下するように球状の錘８が挿入される（図４（Ａ）、（Ｂ）参照）。支柱５には内側面の上下方向には図２、図３に示すように取付穴６が所定間隔で設けられる。それぞれの取付穴６には防触壁付部材９が挿入固定される。
【００２０】
前記一対の支柱５の相対向する取付穴６に挿入される防触壁付部材９には図２、図３の様に軸孔１０を設け、防触壁付軸受部材９−１の軸孔１０にクランク型規制部材１４の両方の端部１５を回転可能に挿入される。そして端部１５から延びたアーム部１６につづく規制バー１７は棚板４の上部や、天板の２の前面に静止される（図１、図４参照）。規制バー１７の初期状態を保持する為に支柱５の所定の取付穴６にアーム保持部材９−２を挿入して用いる。該ストッパー１４付きアーム部保持部材９−２の保持片１２はクランク型規制部材１４のアーム部１６より前面に突き出し、アーム部保持部材９−２に装着した弾性部９−５と共にア―ム部１６を挟み込んで静止させ、初期状態を保持する。
【００２１】
支柱５及び梁７を什器が木製書棚１の場合、側板３の内側前面淵及び天板２の前面に嵌合した凹部を彫りその凹部に支柱５と梁７をはめ込むことも考えられ、側板３の厚みを２センチから５センチとして支柱５及び梁７は一辺が１センチ前後で中空部を前記の錘８が回動するためにコの字型かロの字型の中空部を有することとなり材料はアルミ、鉄、プラスチック等が考えられる。支柱５の取付け穴６に挿入される部材９は総てが防触壁９−４を有し、柔軟且つ反発力を要球されるため樹脂製が望ましく断面Ｌ字型のクランク型規制部材１４は強度を要するため鉄製が望ましく、直径５ミリ前後の棒鋼を屈折したもので良い、屈折は出来る限り直角に近いのが望ましい。又、クランク型規制部材１４の端部分１５の長さは、支柱５の中空部を錘（球体）８が落下する通路となるために通過を妨げない長さとすることに気を付けねばならないが、相対するクランク型規制部材１４端部分１５は支柱５よりクランク型規制部材１５が外れないように中空部の内幅で回転可能な寸法にしておくのが良い。
【００２２】
図２は、支柱５内側面の所定の間隔に設けた複数の取付穴６とその取付穴６に挿入される部材９の関係を示している。部材９は各部材共通の防触壁９−４を有しその目的は収納物１９の出入時にクランク型規制部材１４に触れるのを防止することにある。部材９の防触壁９−４は両端に置かれた収納物１９が前に引き出されるときにクランク型規制部材１４の両端部１５と両アーム部分１６に接触する率が多く接触によりアーム部１６が前方に押し出されクランク型規制部材１４が初期状態より開放され転位するのを防ぐ役目を果たす。支柱５の取付穴６に挿入される部材９全部に設けられた防触壁の高さは装着される規制部材１４の直径の略高さ以上が必要である。
【００２３】
図３では、相対する一対の支柱５の内面に所定間隔で設けられた複数の取付穴６に軸孔１０のある軸受部材（装着部）９−１が挿入され、その軸受部材９−１の軸孔１０にクランク型規制部材１４の両端部１５が回転可能に挿入される順序が示されている。軸受部材９−１に軸孔１０を設け、クランク型規制部材１４の端部１５が挿入されその端部１５が支軸１８となって回転可能に装着される。クランク型規制部材１４の規制バー１７が落下変位する位置より上部空間の略半分の位置で且つ規制バー１７が最初にセットされる位置に合致する取付穴６に挿入固定しなければならない。    
【実施例２】
【００２４】
図４乃至図７は、クランク型規制バー部１４と、ストッパー機能の関係を示す説明図で、図４は、クランク型規制部材１４の規制バー１７が天板２の前面及び上部の棚板４の前面にシーソー様ストッパー部材１１の保持片１２によって防触壁９−４との間に挟まれセットされた初期状態を現し、図５は、図４の部分拡大図で梁７の中空部に錘（球体）８が待機し、支柱５に挿入された部材９のストッパー部材１１の保持片１２が該部材９の防触壁との間にクランク型規制部材１４のアーム部１６を挟み静止保留させている。図６は図５の梁７の中空部に待機していた球状の錘８が振動により回動して支柱５の中空部内を落下、シーソー様ストッパー部材１１の後部荷重受片１３を次々押し下げ、ストッパー部材１１の保持片１２を押し上げてクランク型規制部材１４を開放した状態を示している。図７はストッパー機能を示す拡大図でストッパー部材１１の一端の荷重受片１３が支柱５の中空部にあり、他端の保持片１２がアーム部保持部材９−２の防触壁９−４に設けた弾性部９−５とで柔らかく挟まれ静止している状態を示している。この防触壁９−４にある反発部分９―５とで柔らかく挟まれ静止している規制部材１４のアーム部分１６を示している。クランク型規制部材１４が開放されるとき、防触壁９−４にある弾力部９−５がクランク型規制部材１４を挟んでいた状態を反発力で押し出し放ち規制バー１７を下方へ勢い良く転位させる。なお、ストッパー部材１１を有するアーム部保持部材９−２は、軸孔１０を有する軸受部材９−１が挿入された取付穴６より上位の取付穴６に挿入し、ストッパー部材１１の支軸１８より後部の荷重受片１３は前部の保持片１２に比べ重量を大きくしておく必要がある。
【００２５】
梁７の中空部に留止置かれた錘（球体）８は落下の際にストッパー部材１１の荷重受片１３を押し下げるための力として重さが所要されるため鉄製品が良い。なお、ストッパー部材１１の後部は錘（球体）８の落下を妨げない長さ及び位置とする。
【００２６】
部材９の防蝕壁９−４とクランク型規制部材１４のアーム部１６をストッパー部材１１の保持片１２で挟むアーム部保持部材９−２の防触壁面９−４にゴム状の板の端切れを貼着しても、前記防触壁９−４自体に柔軟な反発力のある部分を設けて弾性部９−５としても良い。
【００２７】
図８は、初期状態が解除され、規制バー１７が転位落下して棚の略中央部に横たわり収納物１９の飛び出しを防ぐ状態を示した什器（本箱）１の上部の斜視図である。
【００２８】
図９（Ａ）は、クランク型規制部材１４のアーム部１６を受け止める支柱１の取付穴６に挿入される部材９に把握部９−６を設けたアーム部受部材９−３の説明図である。図９（Ｂ）は、図９（Ａ）に示したアーム部受部材９−３の防触壁９−４の先部より柔軟性のある突起物を張り出し、該張り出し部分に落下してくるクランク型規制部材１４のアーム部１６を瞬時に捕まえて戻れないようにする把握片９−６の説明図である。
【００２９】
図１０（Ａ）は、クランク型規制部材１４の規制バー１７によって什器（本箱）１の収納物１９の飛び出しを防いでいる状態を示すクランク型規制部材１４の規制バー部１７の全体斜視図であり、図１０（Ｂ）は、梁７の内部に待機中の球状の錘８が揺れにより支柱５の中空部を落下しストッパー機能１１の荷重受片１３を押し下げ、保持片１２を押し上げた後の錘（球体）８の回収状態を示す拡大斜視図である。
【実施例３】
【００３０】
図１１に示すのは、クランク型規制部材１４の規制バー部１７を複数にして収納物１９の飛び出しを防いでいる一例としてビン類の収納の様子を示している。図１２では複数の規制バー部１７間に網を設けることで面的に防護し、小さな収納物１９の飛び出しを防げるようにしている。なお、柱状１の複数の所定間隔の取付穴６に嵌合挿入固定される各役目を持つ部品９、９−１、９−２、９−３は固定のためにも柔軟性が求められ、反発力も要求されるので弾力性を有する合成樹脂を材料にするのが望ましい。
【実施例４】
【００３１】
図１３に示すのは、木発明の部品をスチール家具２０にも使用可能として現した説明図である。木製家具と異なりスチール家具用支柱２１そのものが主柱であり前述してきた木製家具の支柱とは異なり一遍一遍が太く大きく複数の所定の取付穴２２も又大きく、取付け穴２２そのものを利用して棚板４を装着する例が多いが、本発明の取付穴２２に嵌合挿入した部材９に類似するものを介すれば応用可能で、本棚以外の食器棚をはじめ陳列棚等広く応用が可能である。
【符号の説明】
【００３２】
１        什器（家具）
２        天板
３        側板
４        棚板
５        支柱
６        取付穴
７        梁
８        錘（球状）
９        部材
９−１    軸受部材（装着部）
９−２    アーム部保持部材
９−３    アーム部受部材
９−４    防触壁
９−５    弾性部
９−６    把握片
１０      軸孔
１１      ストッパー部材
１２      保持片
１３      荷重受片
１４      クランク型規制部材
１５      端部
１６      アーム部
１７      規制バー
１８      支軸
１９      収納物
２０      スチ―ル家具
２１      スチール支柱
２２      スチール取付穴
【図１】
2011125464.tif 000003
【図２】
2011125464.tif 000004
【図３】
2011125464.tif 000005
【図４】
2011125464.tif 000006
【図５】
2011125464.tif 000007
【図６】
2011125464.tif 000008
【図７】
2011125464.tif 000009
【図８】
2011125464.tif 000010
【図９】
2011125464.tif 000011
【図１０】
2011125464.tif 000012
【図１１】
2011125464.tif 000013
【図１２】
2011125464.tif 000014
【図１３】
2011125464.tif 000015